(57)【特許請求の範囲】
【請求項１】
クロック信号出力回路であって、クロック信号変換ユニット、分圧ユニット、保護信号発生ユニット、過電流保護ユニット、及びスイッチングユニットを含み、
前記クロック信号変換ユニットは、入力端子が初期クロック信号にアクセスし、出力端子がスイッチングユニットの第１端子に電気的に接続され、且つ変換後のクロック信号を出力し、
前記分圧ユニットは、第１端子がスイッチングユニットの第２端子に電気的に接続されて前記変換後のクロック信号が入力され、第２端子がディスプレイパネルに電気的に接続されて分圧後の前記変換後のクロック信号を出力し、
前記保護信号発生ユニットは減算器、比較器、スイッチ、電流源、及びコンデンサを含み、
前記減算器の同相入力端子及び逆相入力端子がそれぞれ分圧ユニットの第１端子及び第２端子に電気的に接続され、出力端子が比較器の同相入力端子に電気的に接続され、
比較器の逆相入力端子が参照電圧にアクセスし、出力端子がスイッチの制御端子に電気的に接続され、
前記スイッチの第１端子及び第２端子がそれぞれコンデンサの第１端子及び第２端子に電気的に接続され、且つ前記スイッチは、その制御端子が高レベルである時にオンし、その制御端子が低レベルである時にオフし、
前記コンデンサの第１端子が電流源の出力端子に電気的に接続され、第２端子が接地し、
前記過電流保護ユニットは第１入力端子がコンデンサの第１端子に電気的に接続され、第２入力端子が分圧ユニットの第１端子又は第２端子に電気的に接続され、出力端子がスイッチングユニットの制御端子に電気的に接続され、
前記過電流保護ユニットは、
その第１入力端子の電圧が所定の保護値以上であって、且つ第２入力端子の電流が所定の電流値よりも大きく且つ所定時間連続しているときに、対応する制御信号を生成してスイッチングユニットをオフするように制御し、
その第１入力端子の電圧が所定の保護値未満であるか、又はその第１入力端子の電圧が所定の保護値以上であるがその第２入力端子の電流が所定の電流値よりも大きく且つ所定時間連続していることを満たさないと、スイッチングユニットをオンするように制御することに用いられる、クロック信号出力回路。
【請求項２】
前記クロック信号変換ユニットはロジックコントローラ、第１電界効果トランジスタ、及び第２電界効果トランジスタを含み、
前記ロジックコントローラは入力端子が前記クロック信号変換ユニットの入力端子であり、出力端子が第１電界効果トランジスタのゲート及び第２電界効果トランジスタのゲートに電気的に接続され、
前記第１電界効果トランジスタはドレインが定電圧高電位にアクセスし、ソースが第２電界効果トランジスタのドレインに電気的に接続され且つクロック信号変換ユニットの出力端子であり、
前記第２電界効果トランジスタのソースが定電圧低電位にアクセスし、
前記ロジックコントローラは初期クロック信号に基づき第１電界効果トランジスタ及び第２電界効果トランジスタのオン又はオフを制御し、クロック信号変換ユニットの出力端子に変換後のクロック信号を出力させることに用いられる、請求項１に記載のクロック信号出力回路。
【請求項３】
前記第１電界効果トランジスタはＮ型電界効果トランジスタであり、前記第２電界効果トランジスタはＰ型電界効果トランジスタである、請求項２に記載のクロック信号出力回路。
【請求項４】
前記分圧ユニットは抵抗器である、請求項１に記載のクロック信号出力回路。
【請求項５】
前記クロック信号変換ユニット及び保護信号発生ユニットが同一のレベルシフタチップ上に設けられる請求項１に記載のクロック信号出力回路。
【請求項６】
前記ディスプレイパネルはＧＯＡ回路を有し、前記分圧ユニットの第２端子がディスプレイパネルのＧＯＡ回路に電気的に接続される、請求項１に記載のクロック信号出力回路。
【請求項７】
前記スイッチングユニットは第３電界効果トランジスタであり、前記第３電界効果トランジスタはゲートがスイッチングユニットの制御端子であり、ドレインがスイッチングユニットの第１端子であり、ソースがスイッチングユニットの第２端子である、請求項１に記載のクロック信号出力回路。
【請求項８】
液晶表示装置であって、請求項１に記載のクロック信号出力回路を含む、液晶表示装置。
【請求項９】
クロック信号出力回路であって、クロック信号変換ユニット、分圧ユニット、保護信号発生ユニット、過電流保護ユニット、及びスイッチングユニットを含み、
前記クロック信号変換ユニットは入力端子が初期クロック信号にアクセスし、出力端子がスイッチングユニットの第１端子に電気的に接続され、且つ変換後のクロック信号を出力し、
前記分圧ユニットは第１端子がスイッチングユニットの第２端子に電気的に接続されて前記変換後のクロック信号が入力され、第２端子がディスプレイパネルに電気的に接続されて分圧後の前記変換後のクロック信号を出力し、
前記保護信号発生ユニットは減算器、比較器、スイッチ、電流源、及びコンデンサを含み、
前記減算器の同相入力端子及び逆相入力端子がそれぞれ分圧ユニットの第１端子及び第２端子に電気的に接続され、出力端子が比較器の同相入力端子に電気的に接続され、
比較器の逆相入力端子が参照電圧にアクセスし、出力端子がスイッチの制御端子に電気的に接続され、
前記スイッチの第１端子及び第２端子がそれぞれコンデンサの第１端子及び第２端子に電気的に接続され、且つ前記スイッチは、その制御端子が高レベルである時にオンし、その制御端子が低レベルである時にオフし、
前記コンデンサの第１端子が電流源の出力端子に電気的に接続され、第２端子が接地し、
前記過電流保護ユニットは第１入力端子がコンデンサの第１端子に電気的に接続され、第２入力端子が分圧ユニットの第１端子又は第２端子に電気的に接続され、出力端子がスイッチングユニットの制御端子に電気的に接続され、
前記過電流保護ユニットは、
その第１入力端子の電圧が所定の保護値以上であって、且つ第２入力端子の電流が所定の電流値よりも大きく且つ所定時間連続しているときに、対応する制御信号を生成してスイッチングユニットをオフするように制御し、
第１入力端子の電圧が所定の保護値未満であるか、又はその第１入力端子の電圧が所定の保護値以上であるがその第２入力端子の電流が所定の電流値よりも大きく且つ所定時間連続していることを満たさないと、スイッチングユニットをオンするように制御することに用いられ、
前記クロック信号変換ユニットはロジックコントローラ、第１電界効果トランジスタ、及び第２電界効果トランジスタを含み、
前記ロジックコントローラは入力端子が前記クロック信号変換ユニットの入力端子であり、出力端子が第１電界効果トランジスタのゲート及び第２電界効果トランジスタのゲートに電気的に接続され、
前記第１電界効果トランジスタはドレインが定電圧高電位にアクセスし、ソースが第２電界効果トランジスタのドレインに電気的に接続され且つクロック信号変換ユニットの出力端子であり、
前記第２電界効果トランジスタのソースが定電圧低電位にアクセスし、
前記ロジックコントローラは初期クロック信号に基づき第１電界効果トランジスタ及び第２電界効果トランジスタのオン又はオフを制御し、クロック信号変換ユニットの出力端子に変換後のクロック信号を出力させることに用いられ、
前記分圧ユニットは抵抗器であり、
前記クロック信号変換ユニット及び保護信号発生ユニットが同一のレベルシフタチップ上に設けられ、
前記ディスプレイパネルはＧＯＡ回路を有し、前記分圧ユニットの第２端子がディスプレイパネルのＧＯＡ回路に電気的に接続されるクロック信号出力回路。
【請求項１０】
前記第１電界効果トランジスタはＮ型電界効果トランジスタであり、前記第２電界効果トランジスタはＰ型電界効果トランジスタである、請求項９に記載のクロック信号出力回路。
【請求項１１】
前記スイッチングユニットは第３電界効果トランジスタであり、前記第３電界効果トランジスタはゲートがスイッチングユニットの制御端子であり、ドレインがスイッチングユニットの第１端子であり、ソースがスイッチングユニットの第２端子である、請求項９に記載のクロック信号出力回路。
【発明の詳細な説明】
【技術分野】
【０００１】
本発明は液晶表示分野に関し、特にクロック信号出力回路及び液晶表示装置に関する。
【背景技術】
【０００２】
液晶表示装置（Ｌｉｑｕｉｄ  Ｃｒｙｓｔａｌ  Ｄｉｓｐｌａｙ、ＬＣＤ）は薄型、省電力、無放射である等の多くの利点を有し、例えば、液晶テレビ、携帯電話、携帯情報端末（ＰＤＡ）、デジタルカメラ、コンピュータスクリーン又はノートパソコンスクリーン等に広く使用されており、フラットパネルディスプレイの分野では主流となっている。
【０００３】
現在、市販の液晶表示装置はほとんどバックライト型液晶表示装置であり、それは液晶ディスプレイパネル及びバックライトモジュール（Ｂａｃｋｌｉｇｈｔ  Ｍｏｄｕｌｅ）を含む。液晶ディスプレイパネルの動作原理は薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ、ＴＦＴ  Ａｒｒａｙ  Ｓｕｂｓｔｒａｔｅ）とカラーフィルター基板（Ｃｏｌｏｒ  Ｆｉｌｔｅｒ、ＣＦ）との間に液晶分子を注入し、且つ２枚の基板に駆動電圧を印加して液晶分子の回転方向を制御して、バックライトモジュールの光を屈折させて画面を生じさせることである。
【０００４】
液晶表示装置産業の製造技術の継続的な発展に伴って、コスト削減は現在業界で最も主要な発展方向の一つとなっている。液晶表示装置のプロセスを最適化し、新規材料を開発して製造コストを削減させる以外、関連機能モジュール、回路等を液晶ディスプレイパネルの内部に集積し、例えば、外部のゲート走査駆動ＩＣのかわりに、アレイプロセスを利用してゲート走査駆動回路を直接薄膜トランジスタアレイ基板上（Ｇａｔｅ  Ｄｒｉｖｅｒ  ｏｎ  Ａｒｒａｙ、ＧＯＡ）に作製する等の技術も多くの液晶ディスプレイパネルメーカーが開発を競っているホットスポットであり、それにより更に製造コストを削減させる。ＧＯＡ技術は、液晶ディスプレイパネルのアレイプロセスを用いてゲート駆動回路をＴＦＴアレイ基板上に作製し、ゲートに対する順次走査の駆動方式を実現することができる。一般には、ＧＯＡ回路は若干のクロック信号にアクセスする必要があり、それにより、そのゲートの順次走査の機能を実現する。従来技術では、通常、レベルシフタ（ｌｅｖｅｌ  ｓｈｉｆｔｅｒ）を利用して初期クロック信号をブーストした後に液晶ディスプレイパネルのＧＯＡ回路に出力する。ＧＯＡ内部のクロック信号配線が比較的多いため、プロセスの理由によって、短絡が生じやすく、液晶ディスプレイパネルの焼損を防止するために、レベルシフタの出力端子に過電流を測定する過電流保護（ＯＣＰ）ユニットが設置され、過電流がある時、過電流保護ユニットはレベルシフタが外部へのクロック信号出力を停止するように制御でき、クロック信号短絡によるスクリーン焼損の問題を効果的に回避できる。液晶表示装置は、実際の使用中、急速なオン／オフのため、２回目にオンする時、液晶ディスプレイパネル中の一部のゲート線がオフせず、この時、大電流が発生し、過電流保護をトリガーするが、このような大電流は安全な大電流に属し、液晶ディスプレイパネルの異常を引き起こすことがなく、すなわち、過電流保護を誤トリガーしてしまうことになる。
【発明の概要】
【発明が解決しようとする課題】
【０００５】
本発明の目的は、液晶表示装置の急速なオン／オフ時に生じるピーク電流が過電流保護を誤トリガーすることを防止できるクロック信号出力回路を提供することである。
【０００６】
本発明の別の目的は、液晶表示装置の急速なオン／オフ時に生じるピーク電流が過電流保護を誤トリガーすることを防止できる液晶表示装置を提供することである。
【課題を解決するための手段】
【０００７】
上記目的を実現するために、本発明はまずクロック信号出力回路を提供し、クロック信号変換ユニット、分圧ユニット、保護信号発生ユニット、過電流保護ユニット、及びスイッチングユニットを含み、前記クロック信号変換ユニットは入力端子が初期クロック信号にアクセスし、出力端子がスイッチングユニットの第１端子に電気的に接続され、且つ変換後のクロック信号を出力し、前記分圧ユニットは第１端子がスイッチングユニットの第２端子に電気的に接続され、第２端子がディスプレイパネルに電気的に接続され、前記保護信号発生ユニットは減算器、比較器、スイッチ、電流源、及びコンデンサを含み、前記減算器の同相入力端子及び逆相入力端子がそれぞれ分圧ユニットの第１端子及び第２端子に電気的に接続され、出力端子が比較器の同相入力端子に電気的に接続され、比較器の逆相入力端子が参照電圧にアクセスし、出力端子がスイッチの制御端子に電気的に接続され、前記スイッチの第１端子及び第２端子がそれぞれコンデンサの第１端子及び第２端子に電気的に接続され、且つ前記スイッチは、その制御端子が高レベルである時にオンし、その制御端子が低レベルである時にオフし、前記コンデンサの第１端子が電流源の出力端子に電気的に接続され、第２端子が接地し、前記過電流保護ユニットは第１入力端子がコンデンサの第１端子に電気的に接続され、第２入力端子が分圧ユニットの第１端子又は第２端子に電気的に接続され、出力端子がスイッチングユニットの制御端子に電気的に接続され、前記過電流保護ユニットは、その第１入力端子の電圧が所定の保護値以上であって、且つ第２入力端子の電流が所定の電流値よりも大きく且つ所定時間連続しているときに、対応する制御信号を生成してスイッチングユニットをオフするように制御することに用いられる。
【０００８】
前記クロック信号変換ユニットはロジックコントローラ、第１電界効果トランジスタ、及び第２電界効果トランジスタを含み、前記ロジックコントローラは入力端子が前記クロック信号変換ユニットの入力端子であり、出力端子が第１電界効果トランジスタのゲート及び第２電界効果トランジスタのゲートに電気的に接続され、前記第１電界効果トランジスタはドレインが定電圧高電位にアクセスし、ソースが第２電界効果トランジスタのドレインに電気的に接続され且つクロック信号変換ユニットの出力端子であり、前記第２電界効果トランジスタのソースが定電圧低電位にアクセスし、前記ロジックコントローラは初期クロック信号に基づき第１電界効果トランジスタ及び第２電界効果トランジスタのオン又はオフを制御し、クロック信号変換ユニットの出力端子に変換後のクロック信号を出力させることに用いられる。
【０００９】
前記第１電界効果トランジスタはＮ型電界効果トランジスタであり、前記第２電界効果トランジスタはＰ型電界効果トランジスタである。
【００１０】
前記分圧ユニットは抵抗器である。
【００１１】
前記クロック信号変換ユニット及び保護信号発生ユニットが同一のレベルシフタチップ上に設けられる。
【００１２】
前記ディスプレイパネルはＧＯＡ回路を有し、前記分圧ユニットの第２端子がディスプレイパネルのＧＯＡ回路に電気的に接続される。
【００１３】
前記スイッチングユニットは第３電界効果トランジスタであり、前記第３電界効果トランジスタはゲートがスイッチングユニットの制御端子であり、ドレインがスイッチングユニットの第１端子であり、ソースがスイッチングユニットの第２端子である。
【００１４】
本発明はさらに液晶表示装置を提供し、上記クロック信号出力回路を含む。
【００１５】
本発明はさらにクロック信号出力回路を提供し、クロック信号変換ユニット、分圧ユニット、保護信号発生ユニット、過電流保護ユニット、及びスイッチングユニットを含み、
前記クロック信号変換ユニットは入力端子が初期クロック信号にアクセスし、出力端子がスイッチングユニットの第１端子に電気的に接続され、且つ変換後のクロック信号を出力し、前記分圧ユニットは第１端子がスイッチングユニットの第２端子に電気的に接続され、第２端子がディスプレイパネルに電気的に接続され、前記保護信号発生ユニットは減算器、比較器、スイッチ、電流源、及びコンデンサを含み、前記減算器の同相入力端子及び逆相入力端子がそれぞれ分圧ユニットの第１端子及び第２端子に電気的に接続され、出力端子が比較器の同相入力端子に電気的に接続され、比較器の逆相入力端子が参照電圧にアクセスし、出力端子がスイッチの制御端子に電気的に接続され、前記スイッチの第１端子及び第２端子がそれぞれコンデンサの第１端子及び第２端子に電気的に接続され、且つ前記スイッチは、その制御端子が高レベルである時にオンし、その制御端子が低レベルである時にオフし、前記コンデンサの第１端子が電流源の出力端子に電気的に接続され、第２端子が接地し、前記過電流保護ユニットは第１入力端子がコンデンサの第１端子に電気的に接続され、第２入力端子が分圧ユニットの第１端子又は第２端子に電気的に接続され、出力端子がスイッチングユニットの制御端子に電気的に接続され、前記過電流保護ユニットは、その第１入力端子の電圧が所定の保護値以上であって、且つ第２入力端子の電流が所定の電流値よりも大きく且つ所定時間連続しているときに、対応する制御信号を生成してスイッチングユニットをオフするように制御することに用いられ、前記クロック信号変換ユニットはロジックコントローラ、第１電界効果トランジスタ、及び第２電界効果トランジスタを含み、前記ロジックコントローラは入力端子が前記クロック信号変換ユニットの入力端子であり、出力端子が第１電界効果トランジスタのゲート及び第２電界効果トランジスタのゲートに電気的に接続され、前記第１電界効果トランジスタはドレインが定電圧高電位にアクセスし、ソースが第２電界効果トランジスタのドレインに電気的に接続され且つクロック信号変換ユニットの出力端子であり、前記第２電界効果トランジスタのソースが定電圧低電位にアクセスし、前記ロジックコントローラは初期クロック信号に基づき第１電界効果トランジスタ及び第２電界効果トランジスタのオン又はオフを制御し、クロック信号変換ユニットの出力端子に変換後のクロック信号を出力させることに用いられ、前記分圧ユニットは抵抗器であり、前記クロック信号変換ユニット及び保護信号発生ユニットが同一のレベルシフタチップ上に設けられ、前記ディスプレイパネルはＧＯＡ回路を有し、前記分圧ユニットの第２端子がディスプレイパネルのＧＯＡ回路に電気的に接続される。
【発明の効果】
【００１６】
本発明の有益な効果について、本発明が提供するクロック信号出力回路は、クロック信号変換ユニット、スイッチングユニット、分圧ユニット、保護信号発生ユニット、及び過電流保護ユニットを含み、保護信号発生ユニットは減算器、比較器、スイッチ、電流源、及びコンデンサを含み、該クロック信号出力回路を利用してディスプレイパネルにクロック信号を出力する時、急速なオン／オフ時、２回目にオンした後に生じたピーク電流が分圧ユニットを流れて、電流源がコンデンサの第１端子の電圧を所定の保護値まで充電できないようにするが、ピーク電流が消失した後、電流源がコンデンサの第１端子の電圧を所定の保護値まで迅速に充電でき且つ過電流保護ユニットに入力し、過電流保護機能を起動することができ、液晶表示装置の急速なオン／オフ時に生じるピーク電流が過電流保護を誤トリガーすることを防止できる。本発明が提供する液晶表示装置は、液晶表示装置の急速なオン／オフ時に生じるピーク電流が過電流保護を誤トリガーすることを防止できる。
【００１７】
本発明の特徴及び技術内容を更に把握するために、以下、本発明についての詳細説明及び図面を参照できるが、図面は参照及び説明用のものに過ぎず、本発明を限定するものではない。
【図面の簡単な説明】
【００１８】
【図１】図１は本発明のクロック信号出力回路の回路図である。
【発明を実施するための形態】
【００１９】
本発明が採用する技術手段及びその効果を更に説明するために、以下、本発明の好適実施例及びその図面を参照して詳細に説明する。
【００２０】
図１に示すように、本発明はクロック信号出力回路を提供し、クロック信号変換ユニット１００、分圧ユニット２００、保護信号発生ユニット３００、過電流保護ユニット４００、及びスイッチングユニット５００を含み、
上記クロック信号変換ユニット１００は入力端子が初期クロック信号ＣＫにアクセスし、出力端子がスイッチングユニット５００の第１端子に電気的に接続され且つ変換後のクロック信号ＣＫ’を出力し、上記分圧ユニット２００は第１端子がスイッチングユニット５００の第２端子に電気的に接続され、第２端子がディスプレイパネル１０に電気的に接続され、上記保護信号発生ユニット３００は減算器３１０、比較器３２０、スイッチＳ１、電流源ＤＣ、及びコンデンサＣ１を含み、上記減算器３１０の同相入力端子及び逆相入力端子がそれぞれ分圧ユニット２００の第１端子及び第２端子に電気的に接続され、出力端子が比較器３２０の同相入力端子に電気的に接続され、比較器３２０の逆相入力端子が参照電圧Ｖｒｅｆにアクセスし、出力端子がスイッチＳ１の制御端子に電気的に接続され、上記スイッチＳ１の第１端子及び第２端子がそれぞれコンデンサＣ１の第１端子及び第２端子に電気的に接続され、且つ上記スイッチＳ１は、その制御端子が高レベルである時にオンし、その制御端子が低レベルである時にオフし、上記コンデンサＣ１の第１端子が電流源ＤＣの出力端子に電気的に接続され、第２端子が接地し、上記過電流保護ユニット４００は第１入力端子がコンデンサＣ１の第１端子に電気的に接続され、第２入力端子が分圧ユニット２００の第１端子又は第２端子に電気的に接続され、出力端子がスイッチングユニット５００の制御端子に電気的に接続され、上記過電流保護ユニット４００は、その第１入力端子の電圧が所定の保護値以上であって、且つ第２入力端子の電流が所定の電流値よりも大きく且つ所定時間連続しているときに、対応する制御信号を生成してスイッチングユニット５００をオフするように制御することに用いられる。
【００２１】
具体的には、本発明の一実施例では、上記クロック信号変換ユニット１００はロジックコントローラ１１０、第１電界効果トランジスタＱ１、及び第２電界効果トランジスタＱ２を含み、上記ロジックコントローラ１１０は入力端子が上記クロック信号変換ユニット１００の入力端子であり、出力端子が第１電界効果トランジスタＱ１のゲート及び第２電界効果トランジスタＱ２のゲートに電気的に接続され、上記第１電界効果トランジスタＱ１のドレインが定電圧高電位ＶＧＨにアクセスし、ソースが第２電界効果トランジスタＱ２のドレインに電気的に接続され且つクロック信号変換ユニット１００の出力端子であり、上記第２電界効果トランジスタＱ２のソースが定電圧低電位ＶＧＬにアクセスし、上記ロジックコントローラ１１０は、初期クロック信号ＣＫに基づき第１電界効果トランジスタＱ１及び第２電界効果トランジスタＱ２のオン又はオフを制御し、クロック信号変換ユニット１００の出力端子に変換後のクロック信号ＣＫ’を出力させることに用いられる。
【００２２】
具体的には、上記第１電界効果トランジスタＱ１はＮ型電界効果トランジスタであり、上記第２電界効果トランジスタＱ２はＰ型電界効果トランジスタである。
【００２３】
具体的には、上記分圧ユニット２００は抵抗器Ｒ１である。勿論、上記分圧ユニット２００は複数の抵抗器を直列接続又は並列接続した構造として設置されてもよく、又は分圧機能を有するほかの素子を採用してもよい。
【００２４】
好適には、上記クロック信号変換ユニット１００及び保護信号発生ユニット３００が同一のレベルシフタチップ上に設けられる。
【００２５】
具体的には、上記ディスプレイパネル１０はＧＯＡ回路１１を有し、上記分圧ユニット２００の第２端子がディスプレイパネル１０のＧＯＡ回路１１に電気的に接続される。
【００２６】
具体的には、上記スイッチングユニット５００は第３電界効果トランジスタＱ３であり、上記第３電界効果トランジスタＱ３はゲートがスイッチングユニット５００の制御端子であり、ドレインがスイッチングユニット５００の第１端子であり、ソースがスイッチングユニット５００の第２端子である。
【００２７】
更に、上記第３電界効果トランジスタＱ３はＮ型電界効果トランジスタ又はＰ型電界効果トランジスタであってもよい。第３電界効果トランジスタＱ３がＮ型電界効果トランジスタである場合、それに対応して、上記過電流保護ユニット４００は、その第１入力端子の電圧が上記所定の保護値以上であって、且つ第２入力端子の電流が上記所定の電流値よりも大きく且つ上記所定時間連続していると、低電位の制御信号を生成してスイッチングユニット５００をオフするように制御し、その第１入力端子の電圧が上記所定の保護値未満であるか、又はその第１入力端子の電圧が上記所定の保護値以上であるがその第２入力端子の電流が所定の電流値よりも大きく且つ所定時間連続していることを満たさないと、高電位の制御信号を生成してスイッチングユニット５００をオンするように制御し、第３電界効果トランジスタＱ３がＰ型電界効果トランジスタである場合、それに対応して、上記過電流保護ユニット４００は、その第１入力端子の電圧が上記所定の保護値以上であって、且つ第２入力端子の電流が上記所定の電流値よりも大きく且つ上記所定時間連続していると、高電位の制御信号を生成してスイッチングユニット５００をオフするように制御し、その第１入力端子の電圧が上記所定の保護値未満であるか、又はその第１入力端子の電圧が上記所定の保護値以上であるがその第２入力端子の電流が所定の電流値よりも大きく且つ所定時間連続していると、低電位の制御信号を生成してスイッチングユニット５００をオンするように制御する。
【００２８】
なお、本発明のクロック信号出力回路を液晶表示装置に適用してディスプレイパネル１０にクロック信号を出力する場合、液晶表示装置の急速なオン／オフを行うと、２回目オンした後にピーク電流が分圧ユニット２００を流れ、減算器３１０の出力端子が分圧ユニット２００の両端の電圧差を出力し、該電圧差が分圧ユニット２００を流れる電流に正相関し、従って、参照電圧Ｖｒｅｆの電圧値を適切に選択することによって、ピーク電流が分圧ユニット２００を流れた後、減算器３１０の出力端子の電圧、すなわち分圧ユニット２００の両端の電圧差を参照電圧Ｖｒｅｆよりも大きくし、比較器３２０の出力端子が高電位をスイッチＳ１の制御端子に出力してスイッチＳ１をオフするように制御し、すなわち、ピーク電流が分圧ユニット２００を流れる時刻に、コンデンサＣ１の第１端子が接地してコンデンサＣ１を放電させ、所定の保護値を適切に設定することによって、液晶表示装置を２回目にオンしてピーク電流が発生する時刻内に電流源ＤＣがコンデンサＣ１の第１端子の電圧を該所定の保護値まで充電できないが、ピーク電流が消失した後、参照電圧Ｖｒｅｆの電圧値を適切に選択することによって、減算器３１０の出力端子の電圧を終始参照電圧Ｖｒｅｆ未満にし、すなわち、比較器３２０の出力端子が終始低電位であり、スイッチＳ１が終始オフし、電流源ＤＣがコンデンサＣ１の第１端子の電圧を所定の保護値まで迅速に充電でき且つ過電流保護ユニット４００の第１入力端子に入力し、その後、所定の電流値よりも大きい電流が過電流保護ユニット４００の第２入力端子を流れ、且つ該電流が所定時間連続すると、過電流保護ユニット４００は対応する制御信号を生成し、スイッチングユニット５００をオフするように制御し、すなわち、ディスプレイパネル１０へのクロック信号出力を停止し、過電流保護を実現し、同時に過電流保護がピーク電流の消失後にしか行われないことで、液晶表示装置の急速なオン／オフ時に生じたピーク電流が過電流保護を誤トリガーすることを効果的に防止できる。
【００２９】
同一の発明の思想に基づき、本発明はさらに液晶表示装置を提供し、上記クロック信号出力回路を含み、液晶表示装置の急速なオン／オフ時に生じるピーク電流が過電流保護を誤トリガーすることを防止でき、ここではクロック信号出力回路の構造についての重複説明を省略する。
【００３０】
以上のように、本発明のクロック信号出力回路は、クロック信号変換ユニット、スイッチングユニット、分圧ユニット、保護信号発生ユニット、及び過電流保護ユニットを含み、保護信号発生ユニットは減算器、比較器、スイッチ、電流源、及びコンデンサを含み、該クロック信号出力回路を利用してディスプレイパネルにクロック信号を出力する時、急速なオン／オフ時、２回目にオンした後に生じたピーク電流が分圧ユニットを流れて、電流源がコンデンサの第１端子の電圧を所定の保護値まで充電できないようにするが、ピーク電流が消失した後、電流源がコンデンサの第１端子の電圧を所定の保護値まで迅速に充電でき且つ過電流保護ユニットに入力し、過電流保護機能を起動することができ、液晶表示装置の急速なオン／オフ時に生じるピーク電流が過電流保護を誤トリガーすることを防止できる。本発明が提供する液晶表示装置は、液晶表示装置の急速なオン／オフ時に生じるピーク電流が過電流保護を誤トリガーすることを防止できる。
【００３１】
以上のように説明したが、当業者であれば、本発明の技術的手段及び技術的思想に基づいてほかの各種の対応する変更や変形を行うことができ、これらの変更や変形はすべて本発明の特許請求の範囲の保護範囲に属するべきである。
【符号の説明】
【００３２】
１０  ディスプレイパネル
１１  ＧＯＡ回路
１００  クロック信号変換ユニット
１１０  ロジックコントローラ
２００  分圧ユニット
３００  保護信号発生ユニット
３１０  減算器
３２０  比較器
４００  過電流保護ユニット
５００  スイッチングユニット
【図１】
0006906825.tif 000002